(57)【特許請求の範囲】
【請求項１】
計器ハウジング内に設けられた光源と、該計器ハウジングを覆うと共に、該光源からの照明光をバックライト照明として用いる文字板と、該光源と、文字板との間に介在する導光板とを有し、該導光板内を通過するバックライト照明光で、前記文字板の主表示に用いる主照明領域及び、該導光板と対向しない副照明領域を有する計器照明装置であって、
前記導光板の光源側端縁部が、前記光源の真上に位置するように屈曲されると共に、前記導光板の光源側端縁部に、導光板の内部へ光を導く下面と、直接文字板の副照明領域を照明するように光を導く切欠傾斜面部とが設けられ、
前記光源側端縁部の下面と切欠傾斜面部とにより、前記主照明領域と副照明領域との面積比に合わせて、前記光源からの照明光が、前記導光板の内部を通過する光量と、外部に分光される光量とに分けられることを特徴とする計器照明装置。 
【発明の詳細な説明】
【技術分野】
【０００１】
本発明は、車両の計器照明装置に関し、特に光源の指向性や数量に拘わらず、ムラのない均質な発光面を得られる計器照明装置に関するものである。
【背景技術】
【０００２】
従来、図８に示す様な、車両のメータ照明装置が知られている（例えば、特許文献１等参照）。
【０００３】
このような計器照明装置では、車両用メータ装置１のハウジング２内に、図９に示す様な合成樹脂製の回路基板３が設けられている。
【０００４】
この回路基板３の内側面側３ａには、図８に示す様な円弧形状の導光板４の端面４ａに対向して小片状の小基板３ｂが固着されている。
【０００５】
この小基板３ｂには、前記導光板４へ入射する照明光の光源となるＬＥＤ５が実装されていて発光により、このＬＥＤ５の照明光が、略全て前記導光板４の端面４ａから、入光するように構成されている。 
【０００６】
次に、この従来の計器照明装置の作用について説明する。
【０００７】
このように構成された従来の計器照明装置では、図８又は、図９に示す様に、導光板４の各端面４ａから、入光したＬＥＤ５の照明光が、導光板４の内部で反射されて、周方向に沿って、拡散し、図９に示す主照明領域ａで、文字板１６の裏面から透過照明を行う。
【０００８】
この際、指向性の高いＬＥＤ５の照明光が、略全て前記端面４ａから、導光板４に入光して、文字板１６のうち、ＬＥＤ５の真上に位置する直上領域ｂがバックライト照光される。
【先行技術文献】
【特許文献】
【０００９】
【特許文献１】特開２０１０−１３９２９６号
【発明の概要】
【発明が解決しようとする課題】
【００１０】
しかしながら、このような従来の計器照明装置では、前記文字板の意匠造形によっては、図９に示す様に、直上領域ｂ等以外の例えば、補助計器等の副照明領域ｃ等でも、前記主照明領域ａと同様に、照明光量を均質に必要とする場合がある。 
【００１１】
そこで、この発明は、光源の数量を増大させること無く、照明ムラの少ない均質な照明光を広範囲で得られ、意匠造形の自由度を増大させることが出来る計器照明装置を提供することにある。
【課題を解決するための手段】
【００１２】
上記目的を達成するために、本発明の計器照明装置では、計器ハウジング内に設けられた光源と、該計器ハウジングを覆うと共に、該光源からの照明光をバックライト照明として用いる文字板と、該光源と、文字板との間に介在する導光板とを有し、該導光板内を通過するバックライト照明光で、前記文字板の主表示に用いる主照明領域及び、該導光板と対向しない副照明領域を有する計器照明装置であって、
前記導光板の光源側端縁部が、前記光源の真上に位置するように屈曲されると共に、前記導光板の光源側端縁部に、導光板の内部へ光を導く下面と、直接文字板の副照明領域を照明するように光を導く切欠傾斜面部とが設けられ、
前記光源側端縁部の下面と切欠傾斜面部とにより、前記主照明領域と副照明領域との面積比に合わせて、前記光源からの照明光が、前記導光板の内部を通過する光量と、外部に分光される光量とに分けられる計器照明装置を特徴としている。 
【発明の効果】
【００１３】
本発明の計器照明装置では、前記光源からの照明光が、光源側端縁部の下面と切欠傾斜面部とにより、前記導光板の内部を通過する光量と、該導光板の外部に分光される光量とに、前記主照明領域と副照明領域との面積比に合わせて、均質となるように分配される。
【００１４】
このため、前記主照明領域と副照明領域との双方に、照明ムラの少ない均質な照明光を広範囲で、光源の数量を増大させること無く得られ、意匠造形の自由度を増大させることが出来る。
【図面の簡単な説明】
【００１５】
【図１】本発明の実施の形態の計器照明装置で、全体の構成を説明する車両用の計器照明装置の分解斜視図である。
【図２】実施の形態の計器照明装置で、要部の一部断面拡大斜視図である。
【図３】実施の形態の計器照明装置で、文字板を装着した導光板の正面図である。
【図４】実施の形態の計器照明装置で、導光板の正面図である。
【図５】実施の形態の実施例１の計器照明装置で、導光板と光源との位置関係を説明する正面図である。
【図６】実施の形態の実施例１の計器照明装置で、導光板と光源との位置関係を説明する縦断面である。
【図７】実施の形態の実施例２の計器照明装置で、導光板と光源との位置関係を説明する縦断面である。
【図８】一従来例の計器照明装置で、導光板と光源との位置関係を説明する正面図である。
【図９】他の従来例の計器照明装置で、導光板と光源との位置関係を説明する縦断面である。
【発明を実施するための形態】
【００１６】
以下、本発明の実施の形態の計器照明装置を、図面に基づいて説明する。
【００１７】
なお、前記従来例と同一乃至均等な部分については、同一符号を付して説明する。
【００１８】
図１乃至図７は、この実施の形態の計器照明装置が適用される車両用の計器照明装置を示している。
【００１９】
まず、構成から説明すると、この実施の形態の車両には、車室内の運転席前方に位置するインストルメントパネル部材に、車両の速度又は、回転数の表示を行う文字板１６の目盛部８等を、回動指針９の回動位置によって指示する指針メータが設けられ、この指針メータには、照明を行うための計器照明装置１０が設けられている。 
【実施例１】
【００２０】
図１乃至図６は、この実施の形態の実施例１の計器照明装置１０では、図２に示す計器ハウジング１２内の底面部１２ａには、左，右一対の光源としてのＬＥＤ５，５が設けられている。
【００２１】
また、この計器ハウジング１２の正面側開口を覆う文字板１６には、図３に示す様に、回転数を表示する主目盛部８ａが設けられた主照明領域１１ａと、温度を表示する温度計の副目盛部８ｂが設けられた副照明領域１１ｂとを有する照明領域１１が設けられている。
【００２２】
このうち、主照明領域１１ａは、下部を一部切り欠いた円環状を呈している。
【００２３】
また、前記副照明領域１１ｂは、この切り欠かれた部分を補って、連結することにより、主照明領域１１ａ及び副照明領域１１ｂによって、全周域で、透光可能な照明領域１１が形成されている。
【００２４】
そして、前記ＬＥＤ５，５からの照明光が、円環状の前記照明領域１１全域をバックライト照明として裏面側から照光する。この際、透過された照光が、点光り等の照明ムラを発生させることが無く、前記車室内方向から、略均質と見えるように、ＬＥＤ５と、文字板１６との間に導光板１４が介在されている。
【００２５】
この実施例１の導光板１４は、正面視で略馬蹄形状を呈して、平坦な上面部１４ａを、前記主照明領域１１ａの裏側面に並行に沿わせて、ハウジング部材１２内に装着されている。
【００２６】
また、この導光板１４の切り欠かれた部分に相当する端縁は、図６に示す様に、前記ＬＥＤ５の方向に約９０度曲げられて、各光源側端縁部１４ｂ，１４ｂが、底面部１２ａに並行となるように、下面１４ｄを対向させている。
【００２７】
この実施例１の光源側端縁部１４ｂには、円弧状に切り落とされた切欠傾斜面部１４ｃによって、前記下面１４ｄの一部から、ＬＥＤ５の光軸Ｌを中心とする照明光が、前記導光板１４内に入光されて、主照明領域１１ａを照明するように通過させると共に、一部が、直接、前記文字板１６の副照明領域１１ｂを照明するように分配される構成とされている。
【００２８】
更に、この実施例１の前記切欠傾斜面部１４ｃは、図６に示す様に光軸Ｌに沿う垂直方向から、光量が半分となる半値角α（ここでは、α＝約６０°）となるように形成されている。
【００２９】
そして、この実施例１では、図５に示す様に、一対のＬＥＤ５，５間は、双方の照明光量が減少する距離では、主照明領域１１ａ及び副照明領域１１ｂが、これらの照明光を重複させて補完可能な寸法Ｗに設定されている。
【００３０】
次に、この実施の形態の実施例１の作用効果について説明する。
【００３１】
この実施例１では、前記ＬＥＤ５が点灯すると、光軸Ｌを中心とする照明光が、前記導光板１４内に前記光源側端縁部１４ｂの下面１４ｄから入光されて、導光板１４内を通過して、前記主照明領域１１ａが照明される。
【００３２】
また、前記切欠傾斜面部１４ｃが、図６に示す様に光軸Ｌに沿う垂直方向から、光量が半分となる半値角αに形成されているので、この半値角αを上廻るＬＥＤ５からの照明光は、直接、前記文字板１６の副照明領域１１ｂを照明するように分配される。
【００３３】
このように、指向性の高い前記ＬＥＤ５，５からの照明光が、導光板１４の内部を通過する光量と、導光板１４の外部に分光される光量とに、前記主照明領域１１ａと副照明領域１１ｂとの面積比に合わせて、均質となるように分配される。
【００３４】
このため、前記主照明領域１１ａと副照明領域１１ｂとの双方に、照明ムラの少ない均質な照明光を与えることが出来る。
【００３５】
また、一対のＬＥＤ５，５でも、補完可能な寸法Ｗに設定されているので、双方の照明光量が減少する主照明領域１１ａ及び副照明領域１１ｂでは、これらの照明光が重複されて、均質な照明光量を広範囲で得ることが出来る。
【００３６】
従って、光源の数量を増大させること無く、広範囲のバックライト照明光を得られ、意匠造形の自由度を増大させることが出来る。
【００３７】
更に、この実施例１の前記切欠傾斜面部１４ｃは、切り落とし加工によって形成されているので、照明光量の分配の調整が容易に行える。
【実施例２】
【００３８】
図７は、この発明の実施の形態の実施例２の計器照明装置を示すものである。
【００３９】
なお、前記実施例１の計器照明装置と同一乃至均等な部分については、同一符号を付して説明する。
【００４０】
この実施例２の導光板２４は、光源側端縁部２４ｂの下面２４ｄが、略全域で、前記底面部１２ａと対向する様に平坦で、前記実施例１の導光板１４の切欠傾斜面部１４ｃを設けていない形状を呈している。
【００４１】
そして、この光源側端縁部１４ｂの側縁面２４ａが、ＬＥＤ５の光軸Ｌの真上に位置するように構成されている。
【００４２】
次に、この実施例２の計器照明装置の作用効果について説明する。
【００４３】
この実施例２の計器照明装置では、前記実施例１の計器照明装置の作用効果に加えて、更に、側縁面２４ａが、ＬＥＤ５の光軸Ｌの真上に位置することで、少なくとも光源側端縁部１４ｂの一部が、重複して、前記導光板２４の入光する照明光量と、直接、前記文字板１６の副照明領域１１ｂを照明する照明光とに分配される。
【００４４】
他の構成及び作用効果については、同一乃至均等であるので、説明を省略する。
【００４５】
以上、図面を参照して、本発明の実施の形態を詳述してきたが、具体的な構成は、この実施の形態の計器照明装置に限らず、本発明の要旨を逸脱しない程度の設計的変更は、本発明に含まれる。
【００４６】
即ち、前記実施の形態の計器照明装置では、前記切欠傾斜面部１４ｃは、図６に示す様に光軸Ｌに沿う垂直方向から、光量が半分となる半値角α（ここでは、α＝約６０°）となるように形成されているが、特にこれに限らず、主照明領域１１ａ及び副照明領域１１ｂの面積比にあわせて分配する照明光量を均質となるように何れも得られれば、前記光源側端縁部１４ｂ，２４ｂ及び前記切欠傾斜面部１４ｃ等の形状、数量、及び材質が、特に限定されるものではない。
【産業上の利用可能性】
【００４７】
前記実施の形態では、この発明の計器照明装置として、車両の車室に設けられた車両用のメータ計器に適用するものを用いて説明してきたが、例えば、計器照明装置に限定されること無く、車両の表示装置、液晶のバックライトに用いてもよい。
【符号の説明】
【００４８】
５          ＬＥＤ（光源）
１０        計器照明装置
１１        照明領域
１１ａ      主照明領域
１１ｂ      副照明領域
１４，２４  導光板
１４ｂ，２４ｂ  光源側端縁部
１４ｄ，２４ｄ  下面
【図１】
0005642631.tif 000002
【図２】
0005642631.tif 000003
【図３】
0005642631.tif 000004
【図４】
0005642631.tif 000005
【図５】
0005642631.tif 000006
【図６】
0005642631.tif 000007
【図７】
0005642631.tif 000008
【図８】
0005642631.tif 000009
【図９】
0005642631.tif 000010